(57)【要約】【課題】店舗や会社、施設など石膏ボードや軽量のボードを使用した高所の天井や壁を持つ場所に掲示物を吊下げるには脚立に上り体が不安定の状態の中天井にフック具を取り付けるのは危険も伴い且つ位置が間違っていた場合には都度脚立の位置を変えるなど面倒な作業を強いられるがそのような脚立などを使用せず誰でも簡単にフック具を安全に取り付ける手段を安価に提供する。【解決手段】天井の石膏ボードに脚立等を使わずにフック具を取り付けるため床面から施工者が立ったままフック具取付器を両手で持ちフック具取付部の先端に取り付けたフック具取付部に着脱可能に合体したフック具のネジ先端を天井の石膏ボードに押し当てた後、フック具取付器の棒部を手で押しつけながら回しネジをねじ込むことでフック具を天井面に誰でも自在に任意の場所に簡単に安全に素早く取り付け取り外しが出来ることを解決手段としたフック具取付器３３を提供する。【特許請求の範囲】
【請求項１】
フック具胴部５上にネジ棒部３を有し着脱式フック具取付具８へ挿入時にフック具１を保持するためのフック具胴部５の両サイドに凸型に形成したフック具回転防止溝当部６〜ａ・６〜ｂを持ち、そのフック具回転防止溝当部６〜ａ・６〜ｂの各最下部から両翼に腕を広げたようなフック部紐掛腕部７〜ａと７〜ｂを一体的に形成したフック具１で、フック具胴部が円柱状の場合にはフック具のねじ込み時にフック具回転防止溝当部６〜ａ・６〜ｂが、フック具の空回り防止効果も有することを特徴とするフック具１。
【請求項２】
請求項１にかかるフック具１を保持するための着脱式フック具取付具８は専用のフック具取付器３３と市販の旗竿棒２５の各伸縮棒の先端１７に挿入し取り付けるために、フック具保持部１３と棒部挿入部１０を一体的に成形した着脱式フック具取付具８で、フック具１のフック具胴部５を着脱自在に挿入保持できるフック具挿入口９を上部に開口したフック具保持部１３を形設の着脱式フック具取付具８。
【請求項３】
請求項２にかかる着脱式フック具取付具８でフック具１の回転を防止する回転防止溝部１２〜ａと１２〜ｂを両サイドにＵ型に形成し、紐掛け時にフック具１のフック部紐掛腕部７〜ａ・７〜ｂ・７〜ｃのいずれかを取り込むＵ型に開いたフック部紐掛腕部挿入口１４を形成し、その開口部上部両側にフック具紐掛け部１１〜ａ、１１〜ｂを形設した事を特徴とした着脱式フック具取付具８。
【請求項４】
請求項３にかかる着脱式フック具取付具８に装着したフック具１を天井石膏ボード等に取り付けるための伸縮棒１７は棒を２段又あるいは数段の伸縮式棒構造とし、金属や硬質樹脂で形成された棒体には空洞を持ち、伸縮棒ストッパーで自在に長さを調節できる伸縮棒の先端の穴の棒部挿入腔１６にフック具１を装着した着脱式フック具取付具８の棒部挿入部１０を挿入し、フック具１を取り付けるためのフック具取付器３３を提供する。
【請求項５】
請求項４にかかるフック具取付器３３の伸縮棒部最下部に回転ハンドル２３を取付け、その少し上の伸縮棒に回転グリップ２２を設けることで、フック具１の取付け時にネジ先端２を石膏ボード面にねじ込む時に、フック具取付器３３の伸縮棒の回転をスムーズにすることが出来、石膏ボードの内部剤の破壊を最小限に抑える効果を得ることが出来るフック具取付器３３を提供する。
【請求項６】
請求項５にかかるフック具１の取付時に天井部材によっては粉塵が落ちて作業者の顔や目、鼻、服あるいは陳列の品などにかかることが予想されるためフック具取付器３３または着脱式フック具取付具８を取り付けた旗竿棒フック具取付器３４の各伸縮棒先端より少し下に、ロート状の形をした透明の柔軟性のある樹脂で形成した粉塵受フード１７を提供する。
【請求項７】
請求項６にかかる粉塵受フード１７はロート状の下部に棒部装着部１９を形成し、フード部最上部から装着部最下部まで縦方向に切り分けた切込み内縁部１８と切込み外縁部１８〜１を持ち、切込み重ね部１８〜２を設けその端と端は互いに重合して粉塵等を外部にこぼさないようにしている。粉塵受フード１７の伸縮棒部への取付には重合した切れ目から棒部に粉塵受フード１７を挿入し粉塵受フード棒部装着部１９を棒に装着した後、棒部装着部１７に外側より粉塵受フード棒部装着部固定キャップ２０をかぶせ固定する脱着自在にした粉塵受フード１７を設けたフック具取付器３３と旗竿棒フック具取付器３４の提供。
【請求項８】
請求項７にかかるフック具１を装着した着脱式フック具取付具８は市販の広告用の旗等を掲示する旗竿棒２５の頭部キャップ２７をはずして着脱式フック具取付具８の棒部挿入部１０を先端の旗竿穴に挿入すれば、簡易の旗竿棒フック具取付器３４としても安価に利用できる。
【発明の詳細な説明】
【発明の詳細な説明】
【技術分野】
【０００１】本発明は、誰でもが安全に高所の天井ボード等に脚立等を使用せずに吊下げ用の掲載物や広告物等を吊り下げる事が出来るフック具１と着脱式フック具取付具８を装着した専用のフック具取付器３３とフック具１と着脱式フック具取付具８を装着した旗竿棒を使用した旗竿棒フック具取付器３４とに関する発明である。
【背景技術】
【０００２】従来、天井等の高所の石膏ボードにネジ付フック具を取り付けるには脚立を使い不安定な状態で手指により石膏ボード面にねじ込み取り付けたが、ねじ込み時に手元がふらつき石膏ボード内の石膏を破壊してしまい物を吊下げるほどの強度を得る事が難しく掲示物を吊下げるには落下等問題を生じる状況があった。そのために確実にフック具を保持するには石膏ボード専用のアンカー等を使用してフック具をつければ相当の重量物も掲示することもできるが、その場合でも脚立などに乗り、作業者が高所で不安定な状況で天井にフック具を取付なければならず、危険で面倒な作業である。また、専門業者への依頼では費用や時間がかかり効率的ではない。【０００３】先行技術として、特許文献１の棒体差込式ひも付きフックや特許文献２の押しピン式などが公開されている。たとえば、特許文献１の棒体にワイヤーの付いた差込式のフック具においては都度穴開け機で差し込み部に穴をあける手間や吊下げ具は紐で吊下げられており天井面に密着できず、作業は当然脚立等に乗る手間がある。特許文献２については、棒部は伸縮式でなく継ぎ足し式になっており手間がかかり、ネジによるフック具の取付でなく押しピンに紐を結束して天井に押し付けて取り付ける方法をとっており、掲示物の重さに対して強度が不足する恐れや実験ではピンの部分が長めであると石膏ボード部を貫通する際にボード部表紙とボード部内部の石膏剤の抵抗力でピンの強度によっては内部に貫通できず、ピンが曲がる事が確認された。この場合に短めのピンであればボード表面を貫通しボード内部まで挿入できたが掲示物の耐荷重に対し弱さがある。さらにピンは取り付けてから紐を掛けることは出来ずフック具として掲示物を取り換える都度取付や取り外さなくてはならないし、掲示物の掲示には耐荷重と着け外しの簡便さに欠けることが予想される。
【特許文献１】特開２０１５−２０４６
【特許文献２】特開２０００−２１５８８０
【発明が解決しようとする課題】
【０００４】上述のようにワイヤー式の物はやはり脚立などの使用が必須となり面倒で危険であるし、ピン式の物は棒の継ぎ足しも面倒であり、掲示する場合にもチラシなど掲示物の取付には最初に掲示物にピンを取り付けたり、紐を取り付けての状態で吊下げなければならず作業が面倒であり、掲示物の重さにも気を付ける必要があるためにもっと簡単に誰でもが取り付けられる方法が求められる。
【課題を解決するための手段】
【０００５】本発明は上述の事情に鑑みての発明であり、誰でも簡単にフック具取付器３３により安全に天井にフック具を取り付けることを提供する事を目的とした。
【発明の効果】
【０００６】上述の目的を達成するために本発明のフック具１と着脱式フック具取付具８と伸縮棒１７に一体化し使用するフック具取付器３３と市販旗竿棒２５にフック具１と着脱式フック具取付具８を一体化し使用する簡易旗竿棒フック具取付器３４の使用により、無段階に天井等高所への長さの調整が可能でなフック具取付器を安価に提供できる。
【発明を実施するための最良の形態】
【０００７】一例として天井に敷設されている石膏ボードにフック具を取り付けるためには着脱式フック具取付具８のフック具挿入口９へフック具１を挿入すると、フック具１のフック具回転防止溝当部６〜ａ・６〜ｂは着脱式フック具取付具８のフック具保持部１３のフック具回転防止溝部１２〜ａ・１２〜ｂに装着され固定される。【０００８】フック具１の固定を確認後、伸縮棒１７の上部先端の挿入腔１７に着脱式フック具取付具８の伸縮棒挿入部１０を挿入し固定を確認後（この時隙間が出来たり緩い感じのある場合には市販の補助テープ１０〜ａで固定度を調整しても良い）、フック具１のネジ棒部３に市販の接着剤又はコーキング剤３１を塗布し（塗布は任意）フック具１と伸縮式フック具取付具８と専用伸縮棒１７を一体として使用するフック具取付器３３をセットし天井までの高さを伸縮棒ストッパー部で調節する。【０００９】天井までの高さを調整した後フック具１のネジ先端２を［図５のＡ］石膏ボード表面紙のフック具１を取り付けたい位置に合わせてフック具取付器３３で押し当てる。【００１０】［図５の２］の石膏ボード表面紙にネジ先端２を当てながらフック具取付器３３の下部に設けた回転グリップ２２に手を掛け、さらに片方の手で最下部にある伸縮棒回転ハンドル２３を回転させ負荷がかかる所まで回せばでフック具１は石膏ボードの表紙面で固着される。この時、回転を無理にしない事でネジによる石膏ボード内部剤３０を最小の破壊で済む形でフック具１を石膏ボードに固着させることが出来る。同時にネジに塗りつけた接着剤又はコーキング剤が石膏ボード剤になじみしばらくして固まり固着力が大きくなり掲示物の吊下げ時の耐荷重強度を強くすることが出来る。【００１１】［図５の３］のフック具１の固着を確認した後はフック具取付器３３を固着されたフック具から静かに下方に引けば、フック具１はフック具取付器３３に装着された着脱式フック具取付具８から離れフック具として供することが出来る。【００１２】フック具１の固着後、掲示物を取り付けるには、［図６Ａ］フック具取付器３３先端に取り付けた着脱式フック具取付具８の掲示物紐掛部１１〜ａ・１１〜ｂに［図６Ｂ］橋渡すように掲示物紐３１を掛け、［図６Ｅ］フック具取付器３３を持ち上げて天井に固着されたフック具１の［図６Ｄ］［図６Ｆ−１］フック部紐掛部腕部先端７〜ａ−１・７〜ｂ−２・７〜ｃ−３のいずれかの少し上をＵ型に開口したフック部紐掛腕部挿入口１４の上部両端の紐をかけたフック具紐掛部１１〜ａ・１１〜ｂが通過し［図６Ｃ］、フック具取付器３３を静かに下方に下げることでフック具１のフック具紐掛部腕部７〜ａ・７〜ｂ・７〜ｃの任意の場所に掲示物紐３２を掛けることが出来［図６Ｇ］掲示物紐３１に取付られた掲示物３２を吊下げることが出来る。【００１３】天井の石膏ボードにフック具１を取り付ける時に石膏ボード内の石膏が落ちることがあり、作業者の顔や目に入ったり陳列物や床面を汚すことがあるので、フック具取付作業時や取り外し時には粉塵受フード１７を取り付ける。取付方法は［図３Ｂ］着脱式フック具取付具８の下方５ｃｍ前後のところに［図３Ｃ］粉塵受フード１７の切込み部内縁部１８と切込み部外延部１８−１の重なった隙間より伸縮棒の棒体にすりこませ、粉塵受フード１７の下方に形成した棒部接着部１９の上から棒部接着固定キャップ２０をかぶせて粉塵受フード１７を固定することで、フック具取付作業時の粉塵をこのフード内に保持することが出来、粉塵による被害を最小限に抑えることが出来る。【００１４】不要となった掲示物を取る場合には［００１３］で行った作業の逆の手順で掲示物の撤去をすることが出来る。【００１５】不要となったフック具も取り付け時とは逆の手順を施せば簡単に取り外すことが出来る。【００１６】本発明で供されるフック具１の形は一例で図で示した［図１Ｃ］円柱状型でなくとも直方体をした物でも良い。また、色を付けてカラフルで楽しい形状のものも良い。同時に着脱式フック具取付具８のフック具保持部１３の構造もフック具の形に合わせてフック具胴部の造作構成を行い提供する。【００１７】上述のフック具取付器３３は専用のものであるが、［図３−Ｂ］着脱式フック具取付具８を市販されている金属や樹脂で成形された旗竿棒の先端にある回転頭２７を外した穴の径に合わせているため、着脱式フック具取付具８を回転頭２７を外した穴に挿入し使用でき、市販の旗竿等を利用し安価に簡単にフック具１の取付を可能とし、フック具１を装着した着脱式フック具取付具８を取り付けた市販旗竿棒２５を使用すればフック具取付器３３とほぼ同様のフック具１の取付が容易にでき、紐を掛けて掲示物を掲載する作業が実施できる旗竿棒フック具取付器３４を提供する。
【発明の効果】
【００１８】本発明のフック具取付器３３と市販の旗竿棒２５に着脱式フック具取付具８を装着した旗竿棒フック具取付器３４を使用によれば、老若男女が高所の天井や壁などに、脚立や台などを使用せず安全に簡単にフック具１を取り付け、掲示物の吊下げや取外しも容易に簡単に出来る優れた効果がある。
【図面の簡単な説明】
【００１９】
【図１】フック具１の構造をを示す図である。
【図２】着脱式フック具取付具８の構造を示す図である。
【図３】フック具取付器組立実施図である。
【図４】市販旗竿棒実施を示す図である。
【図５】フック具取付の実施を示す図である。
【図６】掲示物紐掛実施を示す図である。
【符号の説明】
【００２０】１  フック具全体図
２  ネジ先端
３  ネジ棒部
４  フック具胴部面当部
５  フック具胴部
６〜ａ・６〜ｂ  フック具回転防止溝当部
７〜ａ・７〜ｂ・７〜ｃ  フック部紐掛部
７〜ａ−１・７〜ｂ−２・７〜ｃ−３  フック部紐掛腕部先端
８  着脱式フック具取付具
９  フック具挿入口
１０  棒部挿入部
１１〜ａ・１１〜ｂ  掲示物紐掛部
１２〜ａ・１２〜ｂ  フック具回転防止溝部
１３  フック具保持部
１４  フック具紐掛腕部挿入口
１５  伸縮棒
１７  棒部挿入腔
１７  粉塵受フード
１８  切込み内縁部
１８〜１  切込み外縁部
１８〜２  切込み重ね部
１９  棒部装着部
２０  棒部装着部固定キャップ
２０〜ａ  固定キャップ棒部挿入部
２１  伸縮棒ストッパー部
２２  回転グリップ
２３  回転ハンドル
２４  接着剤
２５  市販旗竿棒
２６  旗竿穴
２７  頭部キャップ
２８  石膏ボード表紙
２９  石膏ボード内部剤
３０  石膏ボード裏紙
３１  掲示物紐
３２  掲示物
３３  フック具取付器
３４  旗竿棒フック具取付器
【図１】
2020171657.tif 000002
【図２】
2020171657.tif 000003
【図３】
2020171657.tif 000004
【図４】
2020171657.tif 000005
【図５】
2020171657.tif 000006
【図６】
2020171657.tif 000007